(57)【要約】【課題】  対象となる無線タグ回路のみに確実に情報の書き込みを行うための簡単な構成の無線タグテープ及び無線タグ作成装置を提供する。【解決手段】  無線タグテープ２６に備えられた無線タグ回路２４ａは、ＩＣ回路部８０に接続されて非接触にて情報の送受信を行うアンテナ部６４の要素として第１アンテナ基部８２及び第２アンテナ基部８４を備え、その第１アンテナ基部８２は、隣接して配設された無線タグ回路２４ａの第１アンテナ基部８２と電気的に接続されていることから、無線タグ作成装置１２のカートリッジ２８内等に収納されている切断前の無線タグテープ２６に備えられた通信対象ではない無線タグ回路２４ａとの間で誤って通信が行われるのを好適に防止できる。【選択図】  図４
2005165879.tif 000002
【特許請求の範囲】
【請求項１】
所定の情報を記憶し得るＩＣ回路部を備えた無線タグ回路が所定間隔で連続して配設された無線タグテープであって、
該無線タグ回路は、前記ＩＣ回路部に接続されて非接触にて情報の送受信を行うアンテナ部を備え、該アンテナ部は、隣接して配設された無線タグ回路のアンテナ部と電気的に接続されていることを特徴とする無線タグテープ。
【請求項２】
前記アンテナ部は、前記ＩＣ回路部に接続された少なくとも２本の線状エレメントから成り、それら線状エレメントのうち少なくとも一方が隣接して配設された無線タグ回路の線状エレメントのうち少なくとも一方と電気的に接続されたものである請求項１の無線タグテープ。
【請求項３】
前記無線タグテープは、その幅方向における少なくとも一方の端部に連続する線状電極を備えたものであり、前記ＩＣ回路部に接続された線状エレメントのうち少なくとも一方は、該ＩＣ回路部に接続されていない側の端部において該線状電極に電気的に接続されたものである請求項２の無線タグテープ。
【請求項４】
前記無線タグテープは、その長手方向における少なくとも一方の端部に誘導性パターンを備えたものであり、前記線状電極は、該誘導性パターンに電気的に接続されたものである請求項３の無線タグテープ。
【請求項５】
前記無線タグ回路の共振周波数を表す符号が各無線タグ回路に関して一対一に印刷されたものである請求項１から４の何れかの無線タグテープ。
【請求項６】
請求項１から３の何れかの無線タグテープに備えられた無線タグ回路に対して情報の書き込みを行う無線タグ作成装置であって、
前記無線タグテープを所定の長さで切断する切断装置と、
該切断装置により切断された無線タグテープに備えられた無線タグ回路に対して情報の書き込みを行う情報書込装置と
を、備えていることを特徴とする無線タグ作成装置。
【請求項７】
請求項３から５の何れかの無線タグテープに備えられた無線タグ回路に対して情報の書き込みを行う無線タグ作成装置であって、
巻回された状態で収納される前記無線タグテープの線状電極をコイル状アンテナとして該無線タグテープに備えられた無線タグ回路に対して情報の書き込みを行う情報書込装置を備えていることを特徴とする無線タグ作成装置。
【請求項８】
前記無線タグテープに備えられた無線タグ回路の共振周波数を検出するための共振周波数検出手段を含み、前記情報書込装置は、該共振周波数検出手段により検出された共振周波数に対応する通信周波数を用いて前記無線タグ回路に対して情報の書き込みを行うものである請求項７の無線タグ作成装置。
【請求項９】
前記共振周波数検出手段は、通信周波数を変化させつつ前記無線タグ回路との間で通信を行い、該無線タグ回路からの応答が極大となる通信周波数を共振周波数として検出するものである請求項８の無線タグ作成装置。
【請求項１０】
前記無線タグテープに印刷された各無線タグ回路の共振周波数を表す符号を読み取る符号読取装置を含み、前記共振周波数検出手段は、該符号読取装置により読み取られた符号から前記無線タグ回路の共振周波数を検出するものである請求項８の無線タグ作成装置。
【発明の詳細な説明】
【技術分野】
【０００１】
本発明は、無線にて情報の書き込みや読み出しができる無線タグ回路が所定間隔で連続して配設された無線タグテープ及びその無線タグ回路に対して情報の書き込みを行う無線タグ作成装置に関する。
【背景技術】
【０００２】
所定の情報が記憶された小型の無線タグ（応答器）から所定のリーダ（質問器）により非接触で情報の読み出しを行うＲＦＩＤ（Radio Frequency Identification）システムが知られている。このＲＦＩＤシステムは、無線タグが汚れている場合や見えない位置に配置されている場合であってもリーダとの無線通信によりその無線タグに記憶された情報を読み出すことが可能であることから、商品管理や検査工程等の様々な分野において実用が期待されている。
【０００３】
上記無線タグに対する情報の読み書きにおいては、その無線タグとの間で通信を行う必要がある。例えば、無線タグ回路が所定間隔で連続して配設された無線タグテープを引き出しつつ、通信周波数として９００ＭＨｚ乃至は２．４ＧＨｚといったマイクロ波帯を用いた通信により斯かる情報の読み書きが行われるが、高周波を用いる場合には通信距離が長いことから、無線タグ作成装置のカートリッジ内等に収納されている切断前の無線タグテープ等とも通信が行われてしまう可能性があり、対象となる無線タグのみに情報を書き込むのは困難であった。そこで、対象となる無線タグを識別するための技術が開発されている。例えば、特許文献１に記載された無線タグの識別方法がそれである。この方法によれば、無線タグに備えられたＩＣ回路部内における複数のスイッチを開閉制御することにより、その無線タグの共振周波数を変更することができ、対象となる無線タグのみとの間で情報の通信を行うことができる。
【０００４】
【特許文献１】特開２０００−１５１４８０号公報
【０００５】
しかし、前記従来の技術では、ＩＣ回路部内に複数のスイッチ及びそれらのスイッチを開閉制御する手段を設ける必要があり、無線タグの構成が複雑になるという弊害があった。すなわち、簡単な構成により対象となる無線タグ回路のみに確実に情報の書き込みを行うための技術は、未だ開発されていないのが現状である。
【発明の開示】
【発明が解決しようとする課題】
【０００６】
本発明は、以上の事情を背景として為されたものであり、その目的とするところは、対象となる無線タグ回路のみに確実に情報の書き込みを行うための簡単な構成の無線タグテープ及び無線タグ作成装置を提供することにある。
【課題を解決するための手段】
【０００７】
斯かる目的を達成するために、本第１発明の要旨とするところは、所定の情報を記憶し得るＩＣ回路部を備えた無線タグ回路が所定間隔で連続して配設された無線タグテープであって、その無線タグ回路は、前記ＩＣ回路部に接続されて非接触にて情報の送受信を行うアンテナ部を備え、そのアンテナ部は、隣接して配設された無線タグ回路のアンテナ部と電気的に接続されていることを特徴とするものである。
【０００８】
また、前記目的を達成するために、本第２発明の要旨とするところは、前記第１発明の無線タグテープに備えられた無線タグ回路に対して情報の書き込みを行う無線タグ作成装置であって、前記無線タグテープを所定の長さで切断する切断装置と、その切断装置により切断された無線タグテープに備えられた無線タグ回路に対して情報の書き込みを行う情報書込装置とを、備えていることを特徴とするものである。
【０００９】
また、前記目的を達成するために、本第３発明の要旨とするところは、前記第１発明の無線タグテープに備えられた無線タグ回路に対して情報の書き込みを行う無線タグ作成装置であって、巻回された状態で収納される前記無線タグテープの線状電極をコイル状アンテナとしてその無線タグテープに備えられた無線タグ回路に対して情報の書き込みを行う情報書込装置を備えていることを特徴とするものである。
【発明の効果】
【００１０】
このように、前記第１発明によれば、前記無線タグテープに備えられた無線タグ回路は、前記ＩＣ回路部に接続されて非接触にて情報の送受信を行うアンテナ部を備え、そのアンテナ部は、隣接して配設された無線タグ回路のアンテナ部と電気的に接続されていることから、無線タグ作成装置のカートリッジ内等に収納されている切断前の無線タグテープに備えられた通信対象ではない無線タグ回路との間で誤って通信が行われるのを好適に防止できる。すなわち、対象となる無線タグ回路のみに確実に情報の書き込みを行うための簡単な構成の無線タグテープを提供することができる。
【００１１】
ここで、前記第１発明において、好適には、前記アンテナ部は、前記ＩＣ回路部に接続された少なくとも２本の線状エレメントから成り、それら線状エレメントのうち少なくとも一方が隣接して配設された無線タグ回路の線状エレメントのうち少なくとも一方と電気的に接続されたものである。このようにすれば、線状エレメントから成るアンテナ部を備えた無線タグに関して、対象となる無線タグ回路のみに確実に情報の書き込みを行うことができる。
【００１２】
また、好適には、前記無線タグテープは、その幅方向における少なくとも一方の端部に連続する線状電極を備えたものであり、前記ＩＣ回路部に接続された線状エレメントのうち少なくとも一方は、そのＩＣ回路部に接続されていない側の端部においてその線状電極に電気的に接続されたものである。このようにすれば、各無線タグ回路に備えられた線状エレメントのうち少なくとも一方を実用的な態様で相互に電気的に接続できる。また、巻回された状態で収納される前記無線タグテープの線状電極をコイル状アンテナとしてその無線タグテープに備えられた無線タグ回路に対して情報の書き込みを行うことができる。
【００１３】
また、好適には、前記無線タグテープは、その長手方向における少なくとも一方の端部に誘導性パターンを備えたものであり、前記線状電極は、その誘導性パターンに電気的に接続されたものである。このようにすれば、巻回された状態で収納される前記無線タグテープの線状電極をコイル状アンテナとしてその無線タグテープに備えられた無線タグ回路に対して情報の書き込みを行う態様に関して、その無線タグテープの終端部に配設された無線タグ回路に対しても好適に情報の書き込みを行うことができる。
【００１４】
また、好適には、前記無線タグ回路の共振周波数を表す符号が各無線タグ回路に関して一対一に印刷されたものである。このようにすれば、巻回された状態で収納される前記無線タグテープの線状電極をコイル状アンテナとしてその無線タグテープに備えられた無線タグ回路に対して情報の書き込みを行う態様に関して、対象となる無線タグ回路の識別符号を参照することでその無線タグ回路の共振周波数等を検出することができる。
【００１５】
また、前記第２発明は、前記無線タグテープを所定の長さで切断する切断装置と、その切断装置により切断された無線タグテープに備えられた無線タグ回路に対して情報の書き込みを行う情報書込装置とを、備えていることから、カートリッジ内等に収納されている切断前の前記無線タグテープに備えられた通信対象ではない無線タグ回路との間で誤って通信が行われるのを好適に防止できる。すなわち、対象となる無線タグ回路のみに確実に情報の書き込みを行うための簡単な構成の無線タグ作成装置を提供することができる。
【００１６】
また、前記第３発明は、巻回された状態で収納される前記無線タグテープの線状電極をコイル状アンテナとしてその無線タグテープに備えられた無線タグ回路に対して情報の書き込みを行う情報書込装置を備えていることから、その無線タグテープに備えられた線状電極の残りの長さに応じて変化する共振周波数により通信を行うことで、通信対象ではない無線タグ回路との間で誤って通信が行われるのを好適に防止できる。すなわち、対象となる無線タグ回路のみに確実に情報の書き込みを行うための簡単な構成の無線タグ作成装置を提供することができる。
【００１７】
ここで、前記第３発明は、好適には、前記無線タグテープに備えられた無線タグ回路の共振周波数を検出するための共振周波数検出手段を含み、前記情報書込装置は、その共振周波数検出手段により検出された共振周波数に対応する通信周波数を用いて前記無線タグ回路に対して情報の書き込みを行うものである。このようにすれば、前記無線タグ回路との間で好適な同調を実現できる。
【００１８】
また、好適には、前記共振周波数検出手段は、通信周波数を変化させつつ前記無線タグ回路との間で通信を行い、その無線タグ回路からの応答が極大となる通信周波数を共振周波数として検出するものである。このようにすれば、例えば、通信周波数を低周波から高周波へと変化させつつ前記無線タグ回路との間で通信を行うことで、各無線タグ回路の共振周波数を好適に検出することができる。
【００１９】
また、好適には、前記無線タグテープに印刷された各無線タグ回路の共振周波数を表す符号を読み取る符号読取装置を含み、前記共振周波数検出手段は、その符号読取装置により読み取られた符号から前記無線タグ回路の共振周波数を検出するものである。このようにすれば、各無線タグ回路の共振周波数を好適に検出することができる。
【実施例１】
【００２０】
以下、本発明の好適な実施例を図面に基づいて詳細に説明する。
【００２１】
図１は、本発明が好適に適用されるＲＦＩＤシステム１０を説明する図である。このＲＦＩＤシステム１０において、複数の無線タグ作成装置１２は、有線或いは無線による通信回線１４を介してルートサーバ１６、端末１８、汎用コンピュータ２０、及び複数の情報サーバ２２に接続されている。
【００２２】
図２は、本第２発明の実施例である無線タグ作成装置１２の構成を説明する図である。この無線タグ作成装置１２は、図３等に示す無線タグラベル２４を作成するためのもので、後述するように所望の書き込みＩＤ及び物品情報等をＩＣ回路部８０に書き込む等してユーザの要望に応じた無線タグラベル２４を即座に作成できるようにしたものであり、その無線タグラベル２４の要素であるアンテナ部６４及びＩＣ回路部８０から成る無線タグ回路２４ａが所定の間隔で連続して配設された本第１発明の実施例である帯状の無線タグテープ２６を収納する着脱自在のカートリッジ２８と、カートリッジ用モータ３０を駆動してそのカートリッジ２８からの無線タグテープ２６の送出を制御するカートリッジ用モータ駆動回路３２と、上記無線タグテープ２６に印刷を行うためにサーマルヘッド３４の駆動を制御する印刷駆動回路３６と、その無線タグテープ２６を矢印で示す方向に送出するための送出ローラ３８と、送出ローラ用モータ４０を介してその送出ローラ３８の駆動を制御する送出ローラ駆動回路４２と、上記無線タグテープ２６をカートリッジ２８から搬出口４４へ案内するための搬送ガイド４６と、ソレノイド４８の駆動に応じてその無線タグテープ２６を所定の長さで切断して個々の無線タグラベル２４に分割する切断装置として機能するカッタ５０と、上記搬出口４４におけるその無線タグテープ２６の有無を検出するセンサ５２と、上記無線タグ回路２４ａとの間で通信を行うための送受信アンテナ５４と、その送受信アンテナ５４を介して上記無線タグ回路２４ａに情報を書き込むための通信回路５６と、その無線タグ回路２４ａから読み出された信号を処理して情報を読み出すための信号処理回路５８と、上記カートリッジ用モータ駆動回路３２、印刷駆動回路３６、送出ローラ駆動回路４２、ソレノイド４８、通信回路５６、及び信号処理回路５８等を介して上記無線タグ作成装置１２の駆動を制御するための制御回路６０とを、備えて構成されている。その制御回路６０は、入出力インターフェイス６２により上記通信回線１４に接続されている。また、本実施例では詳しい説明を省略するが、上記無線タグテープ２６は、例えば、印刷可能表面を有する帯状の第１基材と、上記無線タグ回路２４ａが所定の間隔で連続して配設された帯状の第２基材とが貼り合わされることで形成されるものであり、それら第１基材及び第２基材がそれぞれ巻回された状態で上記カートリッジ２８内に収納されている。
【００２３】
図３は、上記無線タグ回路２４ａの構成を説明する図である。この図３に示すように、上記無線タグ回路２４ａは、前記無線タグ作成装置１２の送受信アンテナ５４との間で、或いはその無線タグ作成装置１２とは異なる質問器との間で非接触にて信号の送受信を行うためのアンテナ部６４と、そのアンテナ部６４に接続されたＩＣ回路部８０とから成り、そのＩＣ回路部８０は、上記アンテナ部６４により受信された搬送波を整流する整流部６６と、その整流部６６により整流された搬送波のエネルギを蓄積するための電源部６８と、上記アンテナ部６４により受信された搬送波からクロック信号を抽出して制御部７６に供給するクロック抽出部７０と、所定の情報信号を記憶し得る情報記憶部として機能するメモリ部７２と、上記アンテナ部６４に接続された変復調部７４と、上記整流部６６、クロック抽出部７０、及び変復調部７４等を介して上記無線タグ回路２４ａの作動を制御するための制御部７６とを、備えて構成されている。この制御部７６は、前記無線タグ作成装置１２と通信を行うことにより上記メモリ部７２に上記所定の情報を記憶する制御や、上記アンテナ部６４により受信された搬送波を上記変復調部７４において上記メモリ部７２に記憶された情報信号に基づいて変調したうえで反射波として上記アンテナ部６４から反射返信する制御等の基本的な制御を実行する。
【００２４】
図４は、前記無線タグテープ２６の構成の一例を示す平面図である。この図４に示すように、前記無線タグテープ２６は、所定間隔で連続して配設された前記ＩＣ回路部８０と、そのＩＣ回路部８０に接続された第１アンテナ基部８２と、隣接して配設されたＩＣ回路部８０の第１アンテナ基部８２を相互に電気的に接続する第２アンテナ基部８４とを、備えて構成されている。この第１アンテナ基部８２及び第２アンテナ基部８４は、前記無線タグテープ２６の切断により形成される無線タグ回路２４ａのアンテナ部６４の要素である。すなわち、前記タグテープ２６に配設された無線タグ回路２４ａのアンテナ部６４は、切断前においては隣接して配設された無線タグ回路２４ａのアンテナ部６４と電気的に接続されている。上記第１アンテナ基部８２は、前記ＩＣ回路部８０に接続された少なくとも２本、好適には１対の線状エレメントから成るものである。また、上記第２アンテナ基部８４は、前記無線タグテープ２６の幅方向における少なくとも一方の端部、好適には両端部にそれぞれ連続して形成された線状電極である。更に好適には、そのように前記無線タグテープ２６の幅方向両端部に形成された１対の線状電極である第２アンテナ基部８４は、その無線タグテープ２６の終端部すなわち前記無線タグ作成装置１２により最後に切断される部分において相互に電気的に接続されている。前記無線タグテープ２６において、上記第１アンテナ基部８２である１対の線状エレメントのうち少なくとも一方は、前記ＩＣ回路部８０に接続されていない側の端部において上記第２アンテナ基部８４である線状電極に電気的に接続されている。
【００２５】
図５は、前記無線タグテープ２６が図４に一点鎖線で示す位置で切断されることにより形成される無線タグラベル２４を示す平面図である。この図５に示すように、前記無線タグ回路２４ａのアンテナ部６４は、前記ＩＣ回路部８０に接続された上記第１アンテナ基部８２及び切断により分割された前記第２アンテナ基部８４の一部から構成されるものであり、本実施例では、切断により前記無線タグテープ２６から分割されてはじめて所定の共振周波数を有するアンテナとして機能する。前記無線タグテープ２６に配設された無線タグ回路２４ａのアンテナ部６４は、隣接して配設された無線タグ回路２４ａのアンテナ部６４と電気的に接続されているため、図５のアンテナ部６４とおなじ共振周波数を有するアンテナ部６４としては機能しない。図６は、前記無線タグ作成装置１２による前記無線タグ回路２４ａへの情報の書き込み動作を概略的に示す図である。この図６に示すように、本実施例の無線タグ作成装置１２は、切断装置として機能する前記カッタ５０により前記無線タグテープ２６が所定の長さで切断されて前記無線タグラベル２４として形成された後、その無線タグ回路２４ａに対して前記送受信アンテナ５４により情報の書き込みを行うものである。
【００２６】
図７は、前記センサ５２の電気的構成を説明する図である。この図７に示すように、前記センサ５２は、例えば、投光器８６及び受光器８８から成る透過型の光電センサであり、その投光器８６と受光器８８の間に前記無線タグテープ２６乃至は無線タグラベル２４がない場合には、その投光器８６から出力された光が受光器８８に入力されるが、上記投光器８６と受光器８８の間に前記無線タグテープ２６乃至は無線タグラベル２４がある場合には、その投光器８６から出力された光が遮蔽されて受光器８８からの制御出力が反転させられるようになっている。この制御出力は、前記無線タグテープ２６乃至は無線タグラベル２４の有無を表す信号として前記制御回路６０に供給される。
【００２７】
図８は、前記制御回路６０の構成を説明する図である。この図８に示すように、前記制御回路６０は、中央演算処理装置であるＣＰＵ９０、ＲＯＭ（Read Only Memory）９２、及びＲＡＭ（Random Access Memory）９４等から成り、ＲＡＭ９４の一時記憶機能を利用しつつＲＯＭ９２に予め記憶されたプログラムに従って信号処理を行う所謂マイクロコンピュータシステムである。また、この制御回路６０は、前記入出力インターフェイス６２を介して前記通信回線１４に接続されており、前記ルートサーバ１６、端末１８、汎用コンピュータ２０、及び情報サーバ２２等との間で情報のやりとりが可能とされている。図９は、前記無線タグ作成装置１２による前記無線タグ回路２４ａへの情報の書き込みに際して、前記端末１８又は汎用コンピュータ２０に表示される画面の一例である。この図９に示すように、前記無線タグラベル２４に印刷される印字文字、その無線タグ回路２４ａに固有のＩＤである書き込みＩＤ、前記情報サーバ２２に記憶された物品情報のアドレス、及び前記ルートサーバ１６におけるそれらの対応情報の格納先アドレス等が前記端末１８又は汎用コンピュータ２０に表示可能とされており、その端末１８又は汎用コンピュータ２０の操作により前記無線タグ作成装置１２が作動させられて、前記無線タグテープ２６等に所定の印字文字が印刷されると共に、前記ＩＣ回路部８０に上記書き込みＩＤ及び物品情報等の情報が書き込まれる。また、前記無線タグ回路２４ａのＩＤとその無線タグ回路２４ａに書き込まれた情報との対応関係が前記ルートサーバ１６に記憶され、必要に応じて参照できるようになっている。
【００２８】
図１０は、前記通信回路５６の構成を詳しく説明する図である。この図１０に示すように、前記通信回路５６は、前記無線タグ回路２４ａに対して所定の信号を送信する送信部９６と、その無線タグ回路２４ａからの反射波を受信する受信部９８とから成り、その送信部９６は、前記制御回路６０からの指令に基づいて前記無線タグ回路２４ａに情報を書き込むための搬送波を発生させる搬送波発生部１００と、前記信号処理回路５８から供給される情報信号に基づいてその搬送波発生部１００により発生させられた搬送波を変調（例えば、ＴＸ−ＡＳＫ信号に基づく振幅変調）する搬送波変調部１０２と、その搬送波変調部１０２により変調された変調波を増幅する変調波増幅部１０４とを、備えて構成されている。その変調波増幅部１０４の出力は、カプラ１０６を介して前記送受信アンテナ５４に伝達され、前記アンテナ部６４を介して前記ＩＣ回路部８０に供給される。すなわち、本実施例においては、前記送受信アンテナ５４、通信回路５６、信号処理回路５８、及び制御回路６０が前記無線タグ回路２４ａに情報を書き込むための情報書込装置として機能する。
【００２９】
前記送受信アンテナ５４により受信された前記無線タグ回路２４ａからの反射波は、上記カプラ１０６を介して上記受信部９８に入力される。その受信部９８は、前記送受信アンテナ５４からの受信信号を増幅するＬＮＡ（Low Noise Amp）１０８と、そのＬＮＡ１０８により増幅された受信信号における所定の周波数帯域の信号のみを通過させる帯域通過フィルタ１１０とを、備えて構成されている。その帯域通過フィルタ１１０の出力は、検波回路１１１に入力されてその検波回路１１１によりホモダイン検波された後、前記信号処理回路５８に入力される。そして、その信号処理回路５８において、前記無線タグ回路２４ａによる変調に関する情報すなわち前記メモリ部７２に記憶された情報が読み出される。
【００３０】
図１１は、前記無線タグ作成装置１２に備えられる他の無線タグテープ１１２を示す平面図である。この無線タグテープ１１２において、前記第１アンテナ基部８２である線状エレメントは、前記ＩＣ回路部８０に接続されていない側の端部において紙面向かって左右何れかに隣接した無線タグ回路２４ａの第１アンテナ基部８２である線状エレメントと第２アンテナ基部１１４である線状電極により相互に電気的に接続されている。この無線タグテープ１１２が図１１に一点鎖線で示す位置で切断されることにより形成される無線タグ１１６では、前記ＩＣ回路部８０に接続された第１アンテナ基部８２及び切断により分割された前記第２アンテナ基部１１４の一部から所定の共振周波数を有するダイポールアンテナが構成される。このように、前記第１アンテナ基部８２である線状エレメントは、隣接して配設された無線タグ回路１１６ａの第１アンテナ基部８２である線状エレメントのうち一方のみと電気的に接続されたものであってもよい。
【００３１】
図１２は、前記無線タグ作成装置１２に備えられる更に別の無線タグテープ１１８を示す平面図である。この無線タグテープ１１８では、１対の線状エレメントから成る第１アンテナ基部１２０がその無線タグテープ１１８の幅方向に対して所定の角度を成すように前記ＩＣ回路部８０に接続されており、それら第１アンテナ基部１２０である線状エレメントは、前記ＩＣ回路部８０に接続されていない側の端部において、前記無線タグテープ１１８の幅方向における両端部にそれぞれ連続して形成された前記第２アンテナ基部８４である線状電極に電気的に接続されている。この無線タグテープ１１８が図１２に一点鎖線で示す位置で切断されることにより形成される無線タグ１２２では、前記ＩＣ回路部８０に接続された第１アンテナ基部１２０及び切断により分割された前記第２アンテナ基部８４の一部から所定の共振周波数を有するＺ字型のダイポールアンテナが構成される。
【００３２】
図１３は、前記無線タグ作成装置１２に備えられる更に別の無線タグテープ１２４を示す平面図である。この無線タグテープ１２４では、その無線タグテープ１２４の幅方向における一方の端部に前記第２アンテナ基部８４である線状電極が連続して形成されており、上記第１アンテナ基部１２０である１対の線状エレメントのうちその第２アンテナ基部８４側に形成されているものは、前記ＩＣ回路部８０に接続されていない側の端部においてその第２アンテナ基部８４である線状電極に電気的に接続されている。また、上記第１アンテナ基部１２０である１対の線状エレメントのうち上記第２アンテナ基部８４の反対側に形成されているものは、前記ＩＣ回路部８０に接続されていない側の端部において第３アンテナ基部１２６に電気的に接続されている。この第３アンテナ基部１２６は、図１３に示すように、隣接する無線タグ回路１２８ａの第１アンテナ基部１２０及び他の第３アンテナ基部１２６とは接続されておらず、また、切断により分割される前記第２アンテナ基部８４とその全長が略同じ長さとなるように形成されている。この無線タグテープ１２４が図１３に一点鎖線で示す位置で切断されることにより形成される無線タグ１２８では、前記ＩＣ回路部８０に接続された第１アンテナ基部１２０、切断により分割された前記第２アンテナ基部８４の一部、及び第３アンテナ基部１２６から所定の共振周波数を有するＺ字型のダイポールアンテナが構成される。
【００３３】
図１４は、前記無線タグ作成装置１２に備えられる更に別の無線タグテープ１３０を示す平面図である。この無線タグテープ１３０では、前記第２アンテナ基部８４である線状電極がその無線タグテープ１３０の幅方向両端からそれぞれ所定距離だけＩＣ回路部８０側に形成されており、そのＩＣ回路部８０に接続された前記第１アンテナ基部８２である１対の線状エレメントは、そのＩＣ回路部８０に接続されていない側の端部において第２アンテナ基部８４である線状電極にそれぞれ電気的に接続されている。この無線タグテープ１３０が図１４に一点鎖線で示す位置で切断されることにより形成される無線タグ１３２では、前記ＩＣ回路部８０に接続された第１アンテナ基部８２及び切断により分割された前記第２アンテナ基部８４の一部から所定の共振周波数を有する前記アンテナ部６４が構成される。また、この構成によれば、巻回された状態の前記無線タグテープ２６において、前記第２アンテナ基部８４の短絡（ショート）が好適に防止できる。
【００３４】
続いて、以上のように構成されたＲＦＩＤシステム１０による前記無線タグ回路２４ａ、１１６ａ、１２２ａ、１２８ａ、１３２ａ（以下、特に区別しない場合には無線タグ回路２４ａと称する）への情報書き込み動作及びそれに先立つ書き込み準備動作について説明する。
【００３５】
図１５は、前記ＲＦＩＤシステム１０による前記無線タグ回路２４ａへの情報書き込みに先立ち実行される、前記無線タグ作成装置１２の初期化動作を説明するフローチャートである。先ず、ステップ（以下、ステップを省略する）ＳＰＡにおいて、前記無線タグ作成装置１２の機械情報が初期化される。次に、ＳＰＢにおいて、前記無線タグ作成装置１２の通信回路５６に備えられた搬送波発生部１００の設定が初期化された後、本ルーチンが終了させられる。
【００３６】
図１６は、図１５のＳＰＡにおける前記無線タグ作成装置１２の機械情報の初期化動作を説明するフローチャートである。先ず、ＳＰＡ１において、前記カートリッジ２８の有無が判定される。次に、ＳＰＡ２において、前記カートリッジ２８の種別すなわち前記無線タグテープ２６、１１２、１１８、１２４、１３０（以下、特に区別しない場合には無線タグテープ２６と称する）の幅及びＲＦＩＤの有無等が判定される。次に、ＳＰＡ３において、前記カートリッジ２８の無線タグテープ２６が使い切られているか等が判定された後、本ルーチンが終了させられる。
【００３７】
図１７は、図１５のＳＰＢにおける前記無線タグ作成装置１２の通信回路５６に備えられた搬送波発生部１００の設定初期化動作を説明するフローチャートである。先ず、ＳＰＢ１において、前記変調波増幅部１０４へ供給されて送信信号強度を定める信号ＴＸ−ＰＷＲがオフとされる。次に、ＳＰＢ２において、前記搬送波発生部１００に備えられたＰＬＬ（Phase Locked Loop）が前記制御回路６０により無線タグ回路２４ａの第１アンテナ基部８４の共振周波数である搬送波周波数に設定されて、同じくその搬送波発生部１００に備えられたＶＣＯ（Voltage Controlled Oscillator）の発振周波数がＰＬＬからの制御電圧により固定された後、本ルーチンが終了させられる。
【００３８】
図１８は、前記無線タグ作成装置１２による前記無線タグ回路２４ａへの情報書き込み動作を説明するフローチャートである。先ず、ＳＷＡにおいて、前記無線タグ回路２４ａへ情報を書き込むための準備が行われる。次に、ＳＷＢにおいて、情報の書き込み対象となる前記無線タグ回路２４ａが特定される。次に、ＳＷＣにおいて、前記無線タグ回路２４ａへの情報の書き込みが行われた後、本ルーチンが終了させられる。
【００３９】
図１９は、図１８のＳＷＡにおける前記無線タグ回路２４ａへ情報を書き込むための準備動作を説明するフローチャートである。先ず、ＳＷＡ１において、前記無線タグ回路２４ａへ書き込まれる情報である書き込みＩＤ及び物品情報等が設定される。これらの情報の対応関係は、前記無線タグ回路２４ａへの情報の書き込みに前後して前記通信回線１４を介して前記情報サーバ２２に登録される。次に、ＳＷＡ２において、ＳＷＡ１にて設定された情報からＣＲＣ（Cyclic Readundancy Check）符号が計算される。このＣＲＣ符号とは、前記無線タグ回路２４ａとの間における通信の誤りを検出するための信号であり、例えば、送信情報をＸ１６＋Ｘ１２＋Ｘ５＋１といった多項式で除した剰余で表される。後述する無線タグ回路２４ａの特定動作では、その無線タグ回路２４ａにより反射変調されて受信されるデータから前記信号処理回路５８等においてＣＲＣ符号の計算が行われ、同様に受信されるＣＲＣ符号の値とその計算結果とが比較されることで通信の誤りが検出される。次に、ＳＷＡ３において、ＳＷＡ１にて設定された情報に基づいてデータフレーム部が作成された後、本ルーチンが終了させられる。
【００４０】
図２０は、前記無線タグ回路２４ａに情報を送信するための変調情報の生成について説明するフローチャートである。先ず、ＳＷＤ１において、情報の書き込み対象となる前記無線タグ回路２４ａを特定したり、情報の書き込みを行う等のファンクションが設定される。次に、ＳＷＤ２において、ＳＷＤ１にて設定されたファンクションに応じたコマンドが決定される。次に、ＳＷＤ３において、ＳＷＤ２にて決定されたコマンドと、図１９のＳＷＡ３にて作成されたデータフレーム部等からコマンドフレームが作成される。次に、ＳＷＤ４において、ＳＷＤ３にて作成されたコマンドフレームが前記制御回路６０のメモリバッファに記憶される。そして、ＳＷＤ５において、そのメモリバッファに記憶されたコマンドフレームに基づく変調情報であるＴＸ−ＡＳＫ信号が前記信号処理回路５８により生成される。
【００４１】
図２０のＳＷＤ２にて決定されるコマンドの種類を図２１に示す。情報の書き込み対象となる前記無線タグ回路２４ａを特定する通信では、その無線タグ回路２４ａに記憶された情報を読み出すための「PING」及び「SCROLL ID」等のコマンドが用いられる。また、前記無線タグ回路２４ａに情報を書き込むための通信では、その無線タグ回路２４ａに記憶された情報を初期化するための「ERASE ID」、情報を書き込むための「PROGRAM ID」、書き込まれた情報を確認するための「VERIFY」、新たな情報の書き込みを禁止するための「LOCK」等のコマンドが用いられる。
【００４２】
図２２は、図２０のＳＷＤ３にて作成されるコマンドフレーム構造を詳しく説明する図である。前記コマンドフレームは、Ｔ０を１ビットの情報を送信するための時間として、２Ｔ０の送信パワーオフである「GAP」、５Ｔ０の送信パワーオンである「PREAMBL」、２０箇の０信号を送信してクロック同期を行う「CLKSYNC」、コマンドの内容である「COMMAND」、８Ｔ０の送信パワーオンである「SET UP」、及び１箇の１信号を送信する「SYNC」から成る。前記無線タグ回路２４ａにより解釈される部分である「COMMAND」は、コマンドの開始を示す「SOF」、図２１に示す個々のコマンド「CMD」、書き込み対象となる無線タグ回路２４ａのメモリ位置を指定するポインタである「PTR」、情報の長さを示す「LEN」、送信する情報の内容である「VAL」、上記「PTR」、「LEN」、及び「VAL」のパリティ情報である「P」、及びコマンドの終了を示す「EOF」から成る。
【００４３】
前記コマンドフレームは、図２３に示す０信号、１信号、及び所定時間の連続した送信パワーオン・オフを要素として構成される。情報の書き込み対象となる前記無線タグ回路２４ａの特定動作や、情報の書き込み動作では、このコマンドフレームに基づく変調情報であるＴＸ−ＡＳＫ信号が前記通信回路５６の搬送波変調部１０２に供給され、その搬送波変調部１０２において搬送波のＡＳＫ変調が行われて前記送受信アンテナ５４により前記無線タグ回路２４ａへ送信される。その信号が対象である無線タグ回路２４ａに受信されると、前記制御部７６によりコマンドに対応する前記メモリ部７２への情報の書き込みや、情報の返信動作等が行われる。
【００４４】
前記無線タグ回路２４ａによる情報の返信動作において、以下に詳細に説明するリプライ情報は、図２４に示す０信号及び１信号を要素とするＦＳＫ変調された一連の信号として構成され、その信号に基づいて搬送波が反射変調されて前記無線タグ作成装置１２へ返信される。例えば、情報の書き込み対象となる前記無線タグ回路２４ａの特定動作では、図２５に示すようなその無線タグ回路２４ａに固有のＩＤを示す信号により変調された反射波が返信される。
【００４５】
図２６は、前記無線タグ回路２４ａのメモリ構成を示す図である。この図２６に示すように、前記無線タグ回路２４ａのメモリ部７２には、前述したＣＲＣ符号の計算結果、その無線タグ回路２４ａに固有のＩＤ、及び「LOCK」コマンド等に用いられるパスワードが予め記憶されている。上記リプライ情報は、これらの情報に基づいて作成されるものであり、例えば、図２７に示すように、「SCROLL ID」コマンドを含む信号が受信された場合には、０ｘＦＥで表される８ビットの「PREAMBLE」信号と、前記メモリ部７２に記憶されたＣＲＣ符号の計算結果である「CRC」、及びその無線タグ回路２４ａのＩＤを示す「ID」から成るリプライ信号が作成される。
【００４６】
前述した図２１の「PING」コマンドは、複数の前記無線タグ回路２４ａに対して各無線タグ回路２４ａのメモリ部７２に記憶された情報に対応して、図２６に示すメモリ上の位置を指定して応答させるためのコマンドであり、図２２に示すように、開始アドレスポインタ「PTR」、データ長「LEN」、及び値「VAL」の情報を含む。例えば、図２８に示すように、前記メモリ部７２に記憶された情報のうち「PTR」番目から後ろ「LEN」個のデータが「VAL」と等しい場合、「PTR+LEN+1」番目以降８ビットのデータがリプライ信号となる。前記メモリ部７２に記憶された情報のうち「PTR」番目から後ろ「LEN」個のデータが「VAL」と等しくない場合には、返信対象となっていないためリプライ信号は生成されない。
【００４７】
また、前記無線タグ回路２４ａの「PING」コマンドに対する返信タイミングは、リプライ信号の上位３ビットによって決まり、前記無線タグ作成装置１２から「PING」に続けて送られるＢＩＮパルスによって区分される「bin0」乃至「bin7」のうち何れかの区間でリプライ信号が返される。例えば、図２９（ａ）に示すように、「PING」コマンドとして「PTR=0」、「LEN=1」、「VAL=0」が送られてきた場合、前記メモリ部７２に記憶された情報のうち１ビット目が「VAL」と一致する「0」である無線タグ回路２４ａでは、図２９（ｂ）に示すような信号が抽出されてリプライ信号に組み込まれ、そのリプライ信号の上位３ビットが「011」であれば、図３０に示される「PING」コマンドに対するリプライの中の区間「bin3」においてそのリプライ信号が返信される。
【００４８】
「PING」コマンドに対するリプライは、前記無線タグ作成装置１２の通信範囲内に存在する通信可能な無線タグ回路２４ａの数によって以下のように異なったものとなる。すなわち、前記無線タグ作成装置１２の通信範囲内に通信可能な無線タグ回路２４ａが存在しない場合には、図３０の「CASE1」に示すように、いかなるリプライ信号も返信されない。通信範囲内に通信可能な１つの無線タグ回路２４ａが存在する場合には、図３０の「CASE2」に示すように、例えば、「bin3」の区間において「ID1」を示すリプライ信号が返信される。通信範囲内に返信可能な２つの無線タグ回路２４ａが存在する場合には、図３１の「CASE3」に示すように、例えば、「bin0」の区間において「ID1」を示すリプライ信号が返信されると共に、「bin2」の区間において「ID2」を示す信号が返信される。また、リプライ信号の上位３ビットが等しい場合には、図３１の「CASE4」に示すように、例えば、「bin2」の区間において「ID1」及び「ID2」を示す信号が重なって返信される場合もある。「PTR」、「LEN」、及び「VAL」の値を変化させつつこの「PING」コマンドを繰り返すことで、前記無線タグ作成装置１２の通信範囲内に存在する返信可能な無線タグ回路２４ａの個数及び各無線タグ回路２４ａのＩＤを知ることができ、そのＩＤを用いて書き込み対象となる無線タグ回路２４ａへ情報を書き込むことができる。
【００４９】
図３２は、図１８のＳＷＢにおける情報の書き込み対象となる前記無線タグ回路２４ａの特定動作を説明するフローチャートである。先ず、ＳＷＢ１において、「PTR=0」及び「LEN=1」が、ＳＷＢ２において、「VAL=0」及び先頭データフラグ「a=0」が設定される。次に、ＳＷＢ３において、「PING」コマンドの回数を示す値「d=1」が、ＳＷＢ４において、前記「d」におけるｂｉｎ番号である「bn(d)=0」が設定される。次に、ＳＷＢ５において、ＳＷＢ１及びＳＷＢ２にて設定された「PTR」、「LEN」、及び「VAL」に対応する「PING」コマンドフレームが作成されて送信される。次に、ＳＷＢ６において、「bin(bn(d))」すなわち「bin0」にリプライ信号があるか否かが判断される。このＳＷＢ６の判断が肯定される場合には、メモリ部７２の先頭から４ビットが「0000」となっている無線タグ回路２４ａであると推定できるので、この情報を元にＳＷＢ１１において、「SCROLL ID」コマンドフレームが作成されて送信されることで、対象となる無線タグ回路２４ａのＣＲＣ符号及びＩＤを含むリプライ信号が得られる。次に、ＳＷＢ１２において、ＳＷＢ１１にて読みとられたＩＤのＣＲＣ符号が計算され、その計算結果が受信されたＣＲＣ符号と一致するか否かが比較されることでそのＩＤが有効なＩＤが否かが判断される。ＳＷＢ１２の判断が肯定される場合には、読みとられたＩＤが有効なＩＤであると判断されるため、ＳＷＢ２１においてそのＩＤデータが記憶された後、ＳＷＢ７以下の処理が実行される。一方、ＳＷＢ６の判断が否定される場合にも、ＳＷＢ７以下の処理が実行される。このＳＷＢ７において、ｂｉｎ番号「dn(d)」に「1」が加算された後、ＳＷＢ８において、ｂｉｎ番号「bn(d)」がｂｉｎ区間の総数である「8」より小さいか否かが判断される。このＳＷＢ８の判断が肯定される場合には、ＳＷＢ６以下の処理が再び実行されるが、ＳＷＢ８の判断が否定される場合には、ＳＷＢ９において、「PING」コマンドの回数を示す「d」が「1」であるか否かが判断される。このＳＷＢ９の判断が否定される場合には、ＳＷＢ１７において、「d」から「1」が引かれ、ＳＷＢ１８において、「bn(d)」に「1」が加算された後、ＳＷＢ６以下の処理が再び実行されるが、ＳＷＢ９の判断が肯定される場合には、前記メモリ部７２の先頭データが同じものは全て確認されたことになるため、ＳＷＢ１０において、先頭データフラグ「a」の値が「0」であるか否かが判断される。一方、ＳＷＢ１２の判断が否定される場合には、「bin(bn(d))」の区間で複数のタグが応答していることが考えられ、前回までに実行された「PING」コマンドによって判別されるデータを元に、再度「PING」コマンドが作成されて送信されることで、更に細かく前記無線タグ回路２４ａのＩＤが分別される。すなわち、ＳＷＢ１３において、「LEN」の長さが再計算された後、ＳＷＢ１４において、「LEN」の長さが前記メモリ部７２の格納総数「MEM_MAX」より大きいか否かが判断される。このＳＷＢ１４の判断が肯定される場合には、前記メモリ部７２のデータが全て読み出されたうえで且つデータにエラーがあるということになり、そのメモリ部７２のデータに何らかの欠陥があるものとみなされてＩＤデータが記憶されることなく、ＳＷＢ２２において、「d」から「1」が引か���て次のＢＩＮ区間の判定に移るが、ＳＷＢ１４の判断が否定される場合には、ＳＷＢ１５において、前回までに実行された「PING」コマンドによって判別されたデータを元に「VAL」の値が変更され、ＳＷＢ１６において、「d」に「1」が加算された後、ＳＷＢ４以下の処理が再び実行される。ＳＷＢ１０の判断が肯定される場合、すなわち先頭データフラグ「a」の値が「0」であると判断される場合には、前記メモリ部７２の先頭データが「0」のものが確認されたことになり、ＳＷＢ１９において、「LEN=1」が設定され、ＳＷＢ２０において、「VAL=1」、先頭データフラグ「a=1」と設定された後、ＳＷＢ４以下の処理が再び実行されるが、ＳＷＢ１０の判断が否定される場合、すなわち先頭データフラグ「a」の値が「0」ではないと判断される場合には、通信範囲内に存在する全ての無線タグ回路２４ａのＩＤが確認されたことになるので、本ルーチンはそれをもって終了させられる。なお、本ルーチンにおいて、複数の無線タグ回路２４ａが検出された場合には、詳細な説明を省略する「QUIET」コマンドにより、通信対象ではない無線タグ回路２４ａにおける応答が禁止された後、それに続く処理が進められる。対象となる無線タグ回路２４ａの特定は、例えば、検出されたＩＤの番号が小さいものから行われ、また、無線タグ回路２４ａが１つも検出されなかった場合には、エラーとして終了させられる。
【００５０】
なお、前記無線タグ作成装置１２によれば、複数個の前記無線タグ回路２４ａとの間で誤って通信を行う虞はないため、図１８のＳＷＢにおける無線タグ特定処理は、「PING」コマンドではなく「SCROLL ID」コマンドのみを用いてＣＲＣを含め正しいＩＤを取得する方法でもよい。更には、ＳＷＢにおける無線タグ特定処理を省略しても構わない。このようにすれば、可及的速やかに前記無線タグ回路２４ａを作成できることに加え、プロトコルの実装を少なくすることができるという利点がある。
【００５１】
図３３は、図１８のＳＷＣにおける前記無線タグ回路２４ａへの情報の書き込み動作を説明するフローチャートである。先ず、ＳＷＣ１において、「N=0」及び「M=0」が設定された後、ＳＷＣ２において、「ERASE ID」コマンドに基づいて変調された信号が前記送受信アンテナ５４から送信されて、書き込み対象となる無線タグ回路２４ａのメモリ部７２が初期化される。次に、ＳＷＣ３において、「VERIFY」コマンドに基づいて変調された信号が前記送受信アンテナ５４から送信された後、ＳＷＣ４において、前記無線タグ回路２４ａによるリプライ信号からその無線タグ回路２４ａのメモリ部７２に記憶された情報が確認され、前記無線タグ回路２４ａのメモリ部７２が正常に初期化されているか否かが判断される。このＳＷＣ４の判断が肯定される場合には、ＳＷＣ５において、「PROGRAM ID」コマンドに基づいて変調された信号が前記送受信アンテナ５４から送信されて、前記無線タグ回路２４ａに情報が書き込まれる。次に、ＳＷＣ６において、「VERIFY」コマンドに基づいて変調された信号が前記送受信アンテナ５４から送信された後、ＳＷＣ７において、前記無線タグ回路２４ａによるリプライ信号からその無線タグ回路２４ａのメモリ部７２に記憶された情報が確認され、ＳＷＣ５にて書き込まれた情報と一致するか否かが判断される。このＳＷＣ７の判断が肯定される場合には、ＳＷＣ８において、「LOCK」コマンドに基づいて変調された信号が前記送受信アンテナ５４から送信されて、前記無線タグ回路２４ａへの新たな情報の書き込みが禁止された後、本ルーチンが終了させられるが、ＳＷＣ７の判断が否定される場合には、ＳＷＣ９において、「N←N+1」とされた後、ＳＷＣ１０において、「N=5」であるか否かが判断される。このＳＷＣ１０の判断が否定される場合には、ＳＷＣ５以下の処理が再び実行されるが、ＳＷＣ１０の判断が肯定される場合、すなわちＳＷＣ５以下の書き込み処理を５回以上失敗した場合には、ＳＷＣ１１において、前記無線タグ回路２４ａへの情報の書き込み失敗が確認された後、本ルーチンが終了させられる。一方、ＳＷＣ４の判断が否定される場合、すなわち前記無線タグ回路２４ａのメモリ部７２が正常に初期化されていないと判断される場合には、ＳＷＣ１２において、「M←M+1」とされた後、ＳＷＣ１３において、「M=5」であるか否かが判断される。このＳＷＣ１３の判断が否定される場合には、ＳＷＣ２以下の処理が再び実行されるが、ＳＷＣ１３の判断が肯定される場合、すなわちＳＷＣ２以下の初期化処理を５回以上失敗した場合には、ＳＷＣ１１において、前記無線タグ回路２４ａへの情報の書き込み失敗が確認された後、本ルーチンが終了させられる。以上のルーチンにより、通信範囲内にある前記無線タグ回路２４ａに所望の情報を書き込むことができる。
【００５２】
図３４は、図１８のＳＷＣにおける前記無線タグ回路２４ａへの情報の書き込み動作と並行して行われる、前記無線タグテープ２６への印字動作及びその無線タグテープ２６の送出・切断動作を説明するフローチャートである。先ず、ＳＴ１において、前記通信回線１４を介して前記情報サーバ２２から印字書き込み情報がダウンロード或いはアップロードされる。次に、ＳＴ２において、前記無線タグ回路２４ａのＩＣ回路部８０に書き込まれる書き込みＩＤ及び物品情報等の書込情報が前記通信回線１４を介して前記情報サーバ２２からダウンロード或いはアップロードされる。次に、ＳＴ３において、前記カートリッジ用モータ駆動回路３２、印刷駆動回路３６、及び送出ローラ駆動回路４２等を介して前記無線タグテープ２６への印字動作が実行される。次に、ＳＴ４において、前記送出ローラ３８により前記無線タグテープ２６が図２に矢印で示す方向に送出される。次に、ＳＴ５において、前記無線タグテープ２６が所定の切断位置まで送出されたか否かが前記センサ５２の検出結果等に基づいて判断される。このＳＴ５の判断が否定されるうちは、判断が繰り返されることにより待機させられるが、ＳＴ５の判断が肯定される場合には、ＳＴ６において、前記送出ローラ３８による送出が停止された後、前記カッタ５０により無線タグテープ２６が切断される。次に、ＳＴ７において、ＳＴ６による切断動作により分割された無線タグラベル２４が前記送出ローラ３８により図２に矢印で示す方向に送出される。次に、ＳＴ８において、その無線タグラベル２４が所定の書込位置に達したか否かが前記センサ５２の検出結果等に基づいて判断される。このＳＴ８の判断が否定されるうちは、判断が繰り返されることにより待機させられるが、ＳＴ８の判断が肯定される場合には、ＳＴ９において、前記送出ローラ３８による送出が停止された後、前述したＳＷＣにおける前記無線タグ回路２４ａへの情報の書き込み動作が実行される。次に、ＳＴ９において、所定のベリファイ動作すなわち印字及び情報書き込みの確認動作が実行される。そして、ＳＴ１０において、前記無線タグラベル２４の排出動作が実行された後、本ルーチンが終了させられる。以上のルーチンにより、所定の印字が行われると共に所定の情報が書き込まれた前記無線タグラベル２４が作成される。
【００５３】
このように、本実施例によれば、前記無線タグテープ２６に備えられた無線タグ回路２４ａは、前記ＩＣ回路部８０に接続されて非接触にて情報の送受信を行うアンテナ部６４を備え、そのアンテナ部６４は、隣接して配設された無線タグ回路２４ａのアンテナ部６４と電気的に接続されていることから、無線タグ作成装置１２のカートリッジ２８内等に収納されている切断前の無線タグテープ２６に備えられた通信対象ではない無線タグ回路２４ａとの間で誤って通信が行われるのを好適に防止できる。すなわち、対象となる無線タグ回路２４ａのみに確実に情報の書き込みを行うための簡単な構成の無線タグテープ２６を提供することができる。
【００５４】
また、前記アンテナ部６４は、前記ＩＣ回路部８０に接続された少なくとも２本の線状エレメントである前記第１アンテナ基部８２を要素としており、それら線状エレメントのうち少なくとも一方が隣接して配設された無線タグ回路２４ａの線状エレメントのうち少なくとも一方と電気的に接続されたものであるため、線状エレメントを要素とするアンテナ部６４を備えた無線タグ回路２４ａに関して、対象となる無線タグ回路２４ａのみに確実に情報の書き込みを行うことができる。
【００５５】
また、前記無線タグテープ２６は、その幅方向における少なくとも一方の端部に連続する線状電極である前記第２アンテナ基部８４を備えたものであり、前記ＩＣ回路部８０に接続された１対の第１アンテナ基部８２のうち少なくとも一方は、そのＩＣ回路部８０に接続されていない側の端部においてその第２アンテナ基部８４に電気的に接続されたものであるため、各無線タグ回路２４ａに備えられた１対の第１アンテナ基部８２のうち少なくとも一方を実用的な態様で相互に連結できる。
【００５６】
また、前記無線タグ作成装置１２は、前記無線タグテープ２６を所定の長さで切断する切断装置として機能する前記カッタ５０と、そのカッタ５０により切断された無線タグテープ２６である無線タグ回路２４ａに対して情報の書き込みを行う情報書込装置として機能する前記送受信アンテナ５４、通信回路５６、信号処理回路５８、及び制御回路６０とを、備えていることから、カートリッジ２８内等に収納されている切断前の前記無線タグテープ２６に備えられた通信対象ではない無線タグ回路２４ａとの間で誤って通信が行われるのを好適に防止できる。すなわち、対象となる無線タグ回路２４ａのみに確実に情報の書き込みを行うための簡単な構成の無線タグ作成装置１２を提供することができる。
【実施例２】
【００５７】
続いて、本発明の他の実施例を図面に基づいて詳細に説明する。なお、以下の説明に用いる図面に関して前述の実施例と重複する部分については、同一の符号を付してその説明を省略する。
【００５８】
図３５は、本第３発明の実施例である無線タグ作成装置１５０の構成を説明する図である。この無線タグ作成装置１５０には、巻回された状態で前記カートリッジ内に備えられた無線タグテープ２６である無線タグテープロール２６ｒの軸心に垂直を成すように平面型の送受信アンテナ１５２が設けられている。また、好適には、その無線タグテープロール２６ｒの周面に形成された識別符号を読み取るための符号読取装置として機能するＣＣＤ（Charge Coupled Device）１５４と、そのＣＣＤ１５４により読み取られた識別符号をＡ／Ｄ変換（Analog to Digital Conversion）して前記制御回路６０に供給するためのＡ／Ｄコンバータ１５６とが設けられている。
【００５９】
図３６は、上記無線タグ作成装置１５０による前記無線タグ回路２４ａへの情報の書き込み動作を概略的に示す図である。この図３６に示すように、上記無線タグ作成装置１５０は、前記カートリッジ２８内に巻回された状態で収納される前記無線タグテープ２６に備えられた線状電極をコイル状アンテナ（ループアンテナ）として、上記送受信アンテナ１５２によりその軸心方向に磁界を発生させる等してその無線タグテープ２６に備えられた対象となる無線タグ回路２４ａに対して情報の書き込みを行う。所定のＩＣ回路部８０に接続された第１アンテナ基部８２及び第２アンテナ基部８４により形成されるコイル状アンテナの回路は、キャパシタンスをＣ、前記第１アンテナ基部８２及び第２アンテナ基部８４のリアクタンスをそれぞれＬＡ、ＬＢとして、図３７の等価回路で表される。前記無線タグテープ２６は、前記無線タグラベル２４を作成するために巻回された状態から引き出されて所定長さずつ切断されるものであるため、その無線タグテープ２６に備えられる前記第２アンテナ基部８４の長さは切断により前記無線タグラベル２４が作成されるたびに短くなり、その第２アンテナ基部８４により形成されるコイルの巻数もそれに従って少なくなる。すなわち、前記無線タグテープ２６の前記カッタ５０に近い方の末端における無線タグ回路２４ａを対象としたとき、前記第２アンテナ基部８４により形成されるコイルのリアクタンスＬＢは各無線タグ回路２４ａ毎に異なる値となり、前記第１アンテナ基部８２及び第２アンテナ基部８４により形成されるコイル状アンテナの共振周波数もまた各無線タグ回路２４ａ毎に固有の値となる。上記無線タグ作成装置１５０は、対象となる無線タグ回路２４ａに固有の共振周波数を用いてその無線タグ回路２４ａに情報を書き込むものである。
【００６０】
図３８は、前記無線タグテープ２６の構成を説明する断面図である。前述の実施例では特に言及していないが、前記無線タグテープ２６において、前記ＩＣ回路部８０は、ＰＥＴ（ポリエチレンテレフタラート）等から成る色付きのベースフィルム１６０の表面に固設されており、前記第１アンテナ基部８２及び第２アンテナ基部８４は、そのベースフィルム１６０の表面に印刷等により形成されている。また、ＰＥＴ等から成る上記ベースフィルム１６０と同色の不透明被覆層１６２が前記ＩＣ回路部８０、第１アンテナ基部８２、及び第２アンテナ基部８４を被覆するように設けられており、その不透明被覆層１６２の表側には粘着層１６４を介して透明なカバーフィルム１６６が、上記ベースフィルム１６０の裏面には粘着層１６８を介して剥離紙１７０がそれぞれ接着されている。このように、前記第２アンテナ基部８４は、好適には、前記無線タグテープ２６の表面や側面に露出しないように形成されるものである。斯かる構成によれば、巻回された状態の無線タグテープロール２６ｒにおいて、前記第２アンテナ基部８４の短絡が好適に防止される。なお、上記カバーフィルム１６６は、好適には、上記ベースフィルム１６０等とは別体として前記カートリッジ２８内に収納されたものであり、そのカートリッジ２８から引き出される際にその裏面すなわち上記粘着層１６４側の面に前記サーマルヘッド３４により印字１７２等が印刷された後、その粘着層１６４を介して上記ベースフィルム１６０を含む基材と貼り合わされる。また、前記無線タグラベル２４が所定の商品等に貼り付けられる際には、上記剥離紙１７０が剥がされて粘着層１６８により接着される。
【００６１】
図３９は、前記無線タグ作成装置１５０に備えられた通信回路５６の構成を詳しく説明する図である。本実施例においては、前記送受信アンテナ１５２、通信回路５６、信号処理回路５８、及び制御回路６０が前記無線タグテープ２６に備えられた無線タグ回路２４ａに対して情報の書き込みを行うための情報書込装置として機能する。図３８に示す共振周波数検出手段１５８は、前記制御回路６０の制御機能であり、前記無線タグテープ２６に備えられた対象となる無線タグ回路２４ａの共振周波数を検出する。好適には、前記搬送波発生部１００により発生させられる搬送波の周波数を制御することにより通信周波数を低周波から高周波へと変化させつつ対象である無線タグ回路２４ａとの間で通信を行い、その無線タグ回路２４ａからの応答が極大となる通信周波数を共振周波数として検出する。この共振周波数検出手段１５８により検出された共振周波数が対象となる無線タグ回路２４ａに情報を書き込むための通信周波数として用いられる。
【００６２】
また、上記共振周波数検出手段１５８は、好適には、符号読取装置である前記ＣＣＤ１５４により読み取られた符号から対象となる無線タグ回路２４ａの共振周波数を検出するものである。所定のＩＣ回路部８０に接続された第１アンテナ基部８２及び第２アンテナ基部８４により形成されるコイル状アンテナの回路において、その第２アンテナ基部８４により形成されるコイルのリアクタンスＬＢは、その第２アンテナ基部８４の残長によって定まるものであるため、各無線タグ回路２４ａが対象となる際、すなわち前記無線タグテープ２６の前記カッタ５０に近い方の末端における無線タグ回路２４ａとなる際の共振周波数は、予め計算や測定等により求めることができる。前記無線タグテープ２６における無線タグテープロール２６として巻回された際の周面に対応する面には、図４０に示すように、予め計算等により求められた各無線タグ回路２４ａが対象となる際の共振周波数を表す符号であるバーコード１７４が各無線タグ回路２４ａの近傍（裏側）に一対一に印刷されている。この態様では、図４１に示すように、符号読取装置である前記ＣＣＤ１５４により対象となる無線タグ回路２４ａに対応するバーコード１７４が読み取られ、その符号に応じて上記共振周波数検出手段１５８により検出された共振周波数が前記制御回路６０により搬送波発生部１００の発振周波数となり、対象となる無線タグ回路２４ａに情報を書き込むための通信周波数として用いられる。
【００６３】
なお、ここまでの実施例では、前記カートリッジ２８内に巻回された状態で備えられた前記無線タグテープ２６を引き出しつつ情報を書き込む無線タグ作成装置１５０について説明したが、本実施例の無線タグ作成装置１５０は、前述した図１２乃至図１４に示す無線タグテープ１１８、１２４、１３０を備えたものであってもよい。これらの無線タグテープ１１８等に関しても、巻回された状態の線状電極をコイル状アンテナとして用いることで、対象となる無線タグ回路１２２ａ等に対して情報の書き込みを行うことができる。
【００６４】
また、好適には、本実施例の無線タグ作成装置１５０に備えられる無線タグテープ２６等は、その長手方向における少なくとも一方の端部、好適には前記カッタ５０から遠い方の末端（終端部）に誘導性パターンを備えたものであり、前記第２アンテナ基部８４等の線状電極は、その誘導性パターンに電気的に接続されたものである。例えば、前記１対の第２アンテナ基部８４に連続して図４２に示すような雷文状の誘導性パターン１７６や、図４３に示すようなジグザグ状の誘導性パターン１７８等が設けられている。或いは、図４４に示すように、前記１対の第２アンテナ基部８４を終端において相互に電気的に接続させる接続電極１８０を被覆するように誘導性シール１８２が設けられている。巻回された状態で収納される前記無線タグテープ２６等の線状電極をコイル状アンテナとして用いる態様では、その無線タグテープ２６等の残長が短くなるにつれてコイルの巻数が少なくなるため、終端部に配設された無線タグ回路２４ａでは前記線状電極がコイルとして機能し難くなるが、上記誘導性パターン１７６等が設けられていることにより前記第２アンテナ基部８４のリアクタンスを増大させて誘導性が高められ、前記無線タグテープ２６等の終端部に配設された無線タグ回路２４ａに対しても個々の無線タグ回路２４ａの共振周波数を異ならせることができ、好適に情報の書き込みを行うことができるのである。
【００６５】
また、巻回された状態で収納される無線タグテープの線状電極をコイル状アンテナとして用いる態様では、図４５に示すような無線タグテープ１８４が好適に用いられる。この無線タグテープ１８４は、その幅方向中央部に前記第２アンテナ基部８４と平行を成すように形成された線状電極である基準電極１８６を備えており、この基準電極１８６は、上記無線タグテープ１８４の終端部において上記接続電極１８０と電気的に接続されている。この無線タグテープ１８４が巻回された状態の前記第２アンテナ基部８４がコイルとして用いられた場合、上記基準電極１８６の電位が基準電位とされることで前記第２アンテナ基部８４である１対の線状電極から成るコイルそれぞれに好適な起電力が発生させられ、対象となる無線タグ回路２４ａに好適に情報を書き込むことができる。
【００６６】
図４６は、図１８のＳＷＢにおける無線タグ特定動作に先んじて行われる対象となる無線タグ回路２４ａの共振周波数検出動作を説明するフローチャートである。先ず、ＳＦＤ１において、前記搬送波発生部１００に備えられたＰＬＬの設定が初期値ｆφとされる。次に、ＳＦＤ２において、前記無線タグ回路２４ａからの応答信号の強度であるＲＳＳＩ（Recieved Signal Strength Indicator）データ「RSSI_0」が検出される。次に、ＳＦＤ３において、前記搬送波発生部１００に備えられたＰＬＬの設定がｆφ＋ｆｎとされる。ここで、ｆｎはｎが増加するにつれ大きくなる値であり、ＰＬＬの設定値はそのｎの増加に従い低周波から高周波へと変化させられる。次に、ＳＦＤ４において、前記無線タグ回路２４ａからの応答信号の強度であるＲＳＳＩデータ「RSSI_n」が前記信号処理回路５８により検出される。次に、ＳＦＤ５において、「RSSI_n」が「RSSI_n-1」よりも大きいか否かが判断される。このＳＦＤ５の判断が肯定される場合には、ＳＦＤ７において、「n←n+1」とされた後、ＳＦＤ３以下の処理が再び実行されるが、ＳＦＤ５の判断が否定される場合、すなわち「RSSI_n」が極大であることが確認された場合には、ＳＦＤ６において、対象である無線タグ回路２４ａの共振周波数をｆφ＋ｆｎと検出した後、本ルーチンが終了させられる。以上の制御において、ＳＦＤ１乃至ＳＦＤ７が前記共振周波数検出手段１５８に対応する。
【００６７】
図４７は、図１８のＳＷＣにおける前記無線タグ回路２４ａへの情報の書き込み動作と並行して行われる、前記無線タグテープ２６への印字動作及びその無線タグテープ２６の送出・切断動作を説明するフローチャートである。この図４７における各ステップの内容は、前述した図３４の各ステップと同様であるため、その説明を省略する。本実施例では、ＳＷＣにて前記無線タグテープ２６に配設された状態の前記無線タグ回路２４ａに情報が書き込まれた後、ＳＴ６にて前記カッタ５０により前記無線タグラベル２４として分割される。
【００６８】
このように、本実施例によれば、前記無線タグテープ２６は、その長手方向における少なくとも一方の端部に誘導性パターン１７６等を備えたものであり、線状電極である前記第２アンテナ基部８４は、その誘導性パターン１７６等に電気的に接続されたものであるため、巻回された状態で収納される前記無線タグテープ２６の第２アンテナ基部８４をコイル状アンテナとしてその無線タグテープ２６に備えられた無線タグ回路２４ａに対して情報の書き込みを行う態様に関して、その無線タグテープ２６の終端部に配設された無線タグ回路２４ａに対しても好適に情報の書き込みを行うことができる。
【００６９】
また、前記無線タグ回路２４ａの共振周波数を表す符号であるバーコード１７４が各無線タグ回路２４ａの近傍に一対一に印刷されたものであるため、巻回された状態で収納される前記無線タグテープ２６の第２アンテナ基部８４をコイル状アンテナとしてその無線タグテープ２６に備えられた無線タグ回路２４ａに対して情報の書き込みを行う態様に関して、対象となる無線タグ回路２４ａに対応するバーコード１７４を参照することでその無線タグ回路２４ａの共振周波数等を検出することができる。
【００７０】
また、前記無線タグ作成装置１５０は、巻回された状態で収納される前記無線タグテープ２６の第２アンテナ基部８４をコイル状アンテナとしてその無線タグテープ２６に備えられた無線タグ回路２４ａに対して情報の書き込みを行う情報書込装置である前記送受信アンテナ１５２、通信回路５６、信号処理回路５８、及び制御回路６０とを、備えていることから、その無線タグテープ２６に備えられた第２アンテナ基部８４の残りの長さに応じて変化する共振周波数により通信を行うことで、通信対象ではない無線タグ回路２４ａとの間で誤って通信が行われるのを好適に防止できる。
【００７１】
また、前記無線タグテープ２６に備えられた無線タグ回路２４ａの共振周波数を検出するための共振周波数検出手段１５８（ＳＦＤ１乃至ＳＦＤ７）を含み、情報書込装置である前記通信回路５６は、その共振周波数検出手段１５８により検出された共振周波数に対応する通信周波数を用いて前記無線タグ回路２４ａに対して情報の書き込みを行うものであるため、その無線タグ回路２４ａとの間で好適な同調を実現できる。
【００７２】
また、前記共振周波数検出手段１５８は、通信周波数を低周波から高周波へと変化させつつ前記無線タグ回路２４ａとの間で通信を行い、その無線タグ回路２４ａからの応答が極大となる通信周波数を共振周波数として検出するものであるため、各無線タグ回路２４ａの共振周波数を好適に検出することができる。
【００７３】
また、前記無線タグテープ２６に印刷された各無線タグ回路２４ａの共振周波数を表す符号を読み取る符号読取装置である前記ＣＣＤ１５４を含み、前記共振周波数検出手段１５８は、そのＣＣＤ１５４により読み取られた符号から前記無線タグ回路２４ａの共振周波数を検出するものであるため、各無線タグ回路２４ａの共振周波数を好適に検出することができる。
【００７４】
以上、本発明の好適な実施例を図面に基づいて詳細に説明したが、本発明はこれに限定されるものではなく、更に別の態様においても実施される。
【００７５】
例えば、前述の実施例において、前記無線タグ回路２４ａには線状エレメントから成るアンテナ部６４等が設けられていたが、これはあくまで本発明の好適な実施例であり、隣接して配設された無線タグ回路２４ａのアンテナ部と電気的に接続されることで、対象となる無線タグ回路２４ａのみへの情報の書き込みを可能とするものであれば、ループアンテナ、マイクロストリップアンテナ、八木アンテナ等の様々なアンテナが無線タグの態様に応じて適宜選択されて設けられる。
【００７６】
また、前述の実施例において、前記無線タグ作成装置１２、１５０は、前記無線タグ回路２４ａとの間で通信を行うためのアンテナとして平面型の送受信アンテナ５４、１５２を備えたものであったが、例えば、コイル等の情報送受信要素をアンテナとして備えたものであっても構わない。
【００７７】
また、前述の実施例において、前記無線タグ作成装置１５０は、前記無線タグテープロール２６ｒの軸心方向に磁界を発生させて無線タグテープ２６に配設された無線タグ回路２４ａに情報を書き込むものであったが、例えば、対象となる無線タグ回路２４ａの近傍すなわち前記無線タグテープ２６の前記カッタ５０に近い方の端部においてその無線タグテープ２６の表面に垂直な磁界を発生させる等してその無線タグテープ２６に配設された無線タグ回路２４ａに情報を書き込むものであっても構わない。
【００７８】
また、前述の実施例において、前記誘導性パターン１７６、１７８は、前記無線タグテープ２６の長手方向の末端に前記第２アンテナ基部８４とは別に設けられたものであったが、例えば、前記無線タグテープ２６の長手方向の終端部において前記第２アンテナ基部８４の一部に誘導性パターン１７６、１７８等が形成されたものであっても構わない。更には、図４８に示すように、前記無線タグテープ２６に設けられた各無線タグ回路２４ａの間に誘導性パターン１７８等が設けられたものであってもよい。この無線タグテープ２６は、図に一点鎖線で示す位置すなわち誘導性パターン１７８の片端又は両端で切断されるものであり、図４に示すような無線タグテープ２６に比べて切断による共振周波数の変化をより大きなものにできるという利点がある。
【００７９】
また、前述の実施例において、前記無線タグ作成装置１２、１５０は、前記無線タグ回路２４ａに情報の書き込みを行うと共に、無線タグラベル２４を識別するための印刷を行うものであったが、この印刷は必ずしも行われなくともよい。また、前記無線タグ回路２４ａに対して情報の書き込みのみを行うものであっても構わない。
【００８０】
その他、一々例示はしないが、本発明はその趣旨を逸脱しない範囲内において、種々の変更が加えられて実施されるものである。
【図面の簡単な説明】
【００８１】
【図１】本発明が好適に適用されるＲＦＩＤシステムを説明する図である。
【図２】本第２発明の実施例である無線タグ作成装置の構成を説明する図である。
【図３】本第１発明の無線タグテープに配設された無線タグ回路の構成を説明する図である。
【図４】本第１発明の無線タグテープの構成の一例を示す平面図である。
【図５】図４の無線タグテープが一点鎖線で示す位置で切断されることにより形成される無線タグを示す平面図である。
【図６】図２の無線タグ作成装置による図３の無線タグへの情報の書き込み動作を概略的に示す図である。
【図７】図２のセンサの電気的構成を説明する図である。
【図８】図２の制御回路の構成を説明する図である。
【図９】図２の無線タグ作成装置による図３の無線タグへの情報の書き込みに際して、図１の端末又は汎用コンピュータに表示される画面の一例である。
【図１０】図２の通信回路の構成を詳しく説明する図である。
【図１１】本第１発明の実施例である他の無線タグテープを示す平面図である。
【図１２】本第１発明の実施例である更に別の無線タグテープを示す平面図である。
【図１３】本第１発明の実施例である更に別の無線タグテープを示す平面図である。
【図１４】本第１発明の実施例である更に別の無線タグテープを示す平面図である。
【図１５】図１のＲＦＩＤシステムによる図３の無線タグへの情報書き込みに先立ち実行される、図２の無線タグ作成装置の初期化動作を説明するフローチャートである。
【図１６】図１５のＳＰＡにおける無線タグ作成装置の機械情報の初期化動作を説明するフローチャートである。
【図１７】図１５のＳＰＢにおける無線タグ作成装置の通信回路に備えられた搬送波発生部の設定初期化動作を説明するフローチャートである。
【図１８】図２の無線タグ作成装置による図３の無線タグへの情報書き込み動作を説明するフローチャートである。
【図１９】図１８のＳＷＡにおける無線タグへ情報を書き込むための準備動作を説明するフローチャートである。
【図２０】図３の無線タグに情報を送信するための変調情報の生成について説明するフローチャートである。
【図２１】図２０のコマンド決定ルーチンにて決定されるコマンドの種類を示す表である。
【図２２】図２０のコマンドフレーム構造を詳しく説明する図である。
【図２３】図２０のコマンドフレームの構成要素である０信号及び１信号について説明する図である。
【図２４】図３の無線タグからのリプライ信号の作成に用いられる０信号及び１信号について説明する図である。
【図２５】図３の無線タグに固有のＩＤを示す信号を例示する図である。
【図２６】図３の無線タグのメモリ構成を示す図である。
【図２７】図３の無線タグにおいて「SCROLL ID」コマンドを含む信号が受信された場合に返信される「SCROLL ID Reply」について説明する図である。
【図２８】図３のメモリ部に記憶された情報の一部である「LEN」に続く情報が抽出される様子を説明する図である。
【図２９】図２１の「SCROLL ID Reply」について詳しく説明する図である。
【図３０】図２の無線タグ作成装置が通信範囲内の無線タグを識別する動作を行った際に考えられる無線タグからの返信状態を例示する図である。
【図３１】図２の無線タグ作成装置が通信範囲内の無線タグを識別する動作を行った際に考えられる無線タグからの返信状態を例示する図である。
【図３２】図１８のＳＷＢにおける情報の書き込み対象となる無線タグの特定動作を説明するフローチャートである。
【図３３】図１８のＳＷＣにおける無線タグへの情報の書き込み動作を説明するフローチャートである。
【図３４】図１８のＳＷＣにおける無線タグへの情報の書き込み動作と並行して行われるタグテープへの印字動作及びそのタグテープの送出・切断動作を説明するフローチャートである。
【図３５】本第３発明の実施例である無線タグ作成装置の構成を説明する図である。
【図３６】図３５の無線タグ作成装置による図３の無線タグ回路への情報の書き込み動作を概略的に示す図である。
【図３７】図４の無線タグテープにおける第２アンテナ基部をコイル状アンテナとして用いた場合に形成される回路の等価回路を示す図である。
【図３８】図４の無線タグテープの構成を説明する断面図である。
【図３９】図３５の通信回路の構成を詳しく説明する図である。
【図４０】図４の無線タグテープにおいて各無線タグ回路の近傍に一対一に印刷されたそれら無線タグ回路の共振周波数を表す符号を説明する底面図である。
【図４１】図３５の無線タグ作成装置による図３の無線タグ回路への情報の書き込み動作の他の一例を概略的に示す図である。
【図４２】図４の無線タグテープの終端部に形成された誘導性パターンを説明する平面図である。
【図４３】図４の無線タグテープの終端部に形成された他の誘導性パターンを説明する平面図である。
【図４４】図４の無線タグテープの終端部に誘導性シールが設けられた態様を説明する平面図である。
【図４５】図３５の無線タグ作成装置に備えられる無線タグテープの他の一例を示す平面図である。
【図４６】図１８のＳＷＢにおける無線タグ特定動作に先んじて行われる対象となる無線タグの共振周波数検出動作を説明するフローチャートである。
【図４７】図１８のＳＷＣにおける無線タグへの情報の書き込み動作と並行して行われる、無線タグテープへの印字動作及びその無線タグテープの送出・切断動作を説明するフローチャートである。
【図４８】図４の無線タグテープの終端部及び各無線タグ回路の間に誘導性シールが設けられた態様を説明する平面図である。
【符号の説明】
【００８２】
１２、１５０：無線タグ作成装置
２４ａ、１１６ａ、１２２ａ、１２８ａ、１３２ａ：無線タグ回路
２６、１１２、１１８、１２４、１３０、１８４：無線タグテープ
５０：カッタ（切断装置）
５４、１５２：送受信アンテナ（情報書込装置）
５６：通信回路（情報書込装置）
５８：信号処理回路（情報書込装置）
６０：制御回路（情報書込装置）
６４：アンテナ部
８０：ＩＣ回路部
８２、１２０：第１アンテナ基部（線状エレメント）
８４、１１４：第２アンテナ基部（線状電極）
１５４：ＣＣＤ（符号読取装置）
１５８：共振周波数検出手段
１７４：バーコード（符号）
１７６、１７８：誘導性パターン
【図１】
2005165879.tif 000003
【図２】
2005165879.tif 000004
【図３】
2005165879.tif 000005
【図４】
2005165879.tif 000006
【図５】
2005165879.tif 000007
【図６】
2005165879.tif 000008
【図７】
2005165879.tif 000009
【図８】
2005165879.tif 000010
【図９】
2005165879.tif 000011
【図１０】
2005165879.tif 000012
【図１１】
2005165879.tif 000013
【図１２】
2005165879.tif 000014
【図１３】
2005165879.tif 000015
【図１４】
2005165879.tif 000016
【図１５】
2005165879.tif 000017
【図１６】
2005165879.tif 000018
【図１７】
2005165879.tif 000019
【図１８】
2005165879.tif 000020
【図１９】
2005165879.tif 000021
【図２０】
2005165879.tif 000022
【図２１】
2005165879.tif 000023
【図２２】
2005165879.tif 000024
【図２３】
2005165879.tif 000025
【図２４】
2005165879.tif 000026
【図２５】
2005165879.tif 000027
【図２６】
2005165879.tif 000028
【図２７】
2005165879.tif 000029
【図２８】
2005165879.tif 000030
【図２９】
2005165879.tif 000031
【図３０】
2005165879.tif 000032
【図３１】
2005165879.tif 000033
【図３２】
2005165879.tif 000034
【図３３】
2005165879.tif 000035
【図３４】
2005165879.tif 000036
【図３５】
2005165879.tif 000037
【図３６】
2005165879.tif 000038
【図３７】
2005165879.tif 000039
【図３８】
2005165879.tif 000040
【図３９】
2005165879.tif 000041
【図４０】
2005165879.tif 000042
【図４１】
2005165879.tif 000043
【図４２】
2005165879.tif 000044
【図４３】
2005165879.tif 000045
【図４４】
2005165879.tif 000046
【図４５】
2005165879.tif 000047
【図４６】
2005165879.tif 000048
【図４７】
2005165879.tif 000049
【図４８】
2005165879.tif 000050